(57)【要約】【課題】表示アームの伸縮と回動が発生する場合でも、配線が絡まないように処理可能なヘッドマウントディスプレイを提供する。【解決手段】表示部７内の電気基板８からの配線９は、第２表示部アーム６の内部、第１表示部アーム５の内部を通して回動部４内のＡ室に導かれ、さらにＡ室と仕切り板を介して重なり合ったＢ室に導かれる。そしてＢ室を出た配線９は、保持部２内に収納された電気基板１１に接続される。Ａ室では、第２表示部アーム６の進退に伴う配線の弛みを吸収する。Ｂ室では、第１表示部アーム５の回動に伴う配線の捻れと弛みを吸収する。第２表示部アーム６の進退に伴う配線の弛みを吸収する空間と、第１表示部アーム５の回動に伴う配線の捻れと弛みを吸収する空間とを分けているので、配線が絡まることなく処理可能である。【選択図】  図１
2008148028.tif 000002
【特許請求の範囲】
【請求項１】
頭部に装着して使用し、音声及び映像を出力するヘッドマウントディスプレイであって、頭部側面と接触する左右のイヤーパッドと、前記イヤーパッドをそれぞれ保持する左右の保持部と、前記保持部を連結して、前記イヤーパッドを頭部側面の左右に押し付けるような付勢力を与えるヘッドバンド部と、一方の前記保持部に回動部を介して連結された第１表示部アームと、前記第１表示部アームに対して摺動して進退可能に接続された第２表示部アームと、当該第２表示部アームの先端に連結された表示部を有し、前記回動部には、前記第２表示部アームの進退に伴って発生する配線の弛みを収納する第１の配線収納室と、前記第１表示部アームの回動に伴って発生する配線の捻れと弛みを収納する第２の配線収納室が重なって設けられていることを特徴とするヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ウェアラブルディスプレイと呼ばれている。このようなウェアラブルディスプレイの例は、例えばＷＯ２００４／０６１５１９Ａ１公報（特許文献１）に記載されている。
【０００３】
この映像表示装置は、多くの場合、頭に巻いた形で頭部に装着する構成とされ（ヘッドマウントディスプレイと呼ばれている）、両眼に対応する位置に映像表示系を形成した両眼タイプと左右眼の一方の眼に対応する位置に映像表示系を形成した片眼タイプとがある。このようなウェアラブルディスプレイは、通常は、映像を表示する表示部と音声を出力するヘッドホーンとを有している。
【特許文献１】ＷＯ２００４／０６１５１９Ａ１公報
【発明の開示】
【発明が解決しようとする課題】
【０００４】
このようなヘッドマウントディスプレイは、頭部側面と接触する左右のイヤーパッドと、前記イヤーパッドをそれぞれ保持する左右の保持部と、前記保持部を連結して、前記イヤーパッドを頭部側面の左右に押し付けるような付勢力を与えるヘッドバンド部と、一方の前記保持部に回動部を介して連結された第１表示部アームと、前記第１表示部アームに対して摺動して進退可能に接続された第２表示部アームと、当該第２表示部アームの先端に連結された表示部を有し、第２表示部アームを進退させることにより表示部の前後位置を調整し、第１表示アームを回動部を介して回動させることにより、表示部の上下方向の高さを調整すると共に、ヘッドマウントディスプレイの不使用時に、表示部を頭頂部に位置させるようにされているのが普通である。又、ヘッドマウントディスプレイの左右を入れ替えるとき、第１表示部アームは、反対側に回動する。
【０００５】
この場合、第２表示アームが第１表示アーム内に引き込まれたとき、配線の弛みが発生する。又、第１表示アームの回動により、配線の捻れと弛みが発生する。これらの２つの動きのために、配線が絡まったりするおそれがあるという問題点があった。
【０００６】
本発明はこのような事情に鑑みてなされたもので、表示アームの伸縮と回動が発生する場合でも、配線が絡まないように処理可能なヘッドマウントディスプレイを提供することを課題とする。
【課題を解決するための手段】
【０００７】
前記課題は、頭部に装着して使用し、音声及び映像を出力するヘッドマウントディスプレイであって、頭部側面と接触する左右のイヤーパッドと、前記イヤーパッドをそれぞれ保持する左右の保持部と、前記保持部を連結して、前記イヤーパッドを頭部側面の左右に押し付けるような付勢力を与えるヘッドバンド部と、一方の前記保持部に回動部を介して連結された第１表示部アームと、前記第１表示部アームに対して摺動して進退可能に接続された第２表示部アームと、当該第２表示部アームの先端に連結された表示部を有し、前記回動部には、前記第２表示部アームの進退に伴って発生する配線の弛みを収納する第１の配線収納室と、前記第１表示部アームの回動に伴って発生する配線の捻れと弛みを収納する第２の配線収納室が重なって設けられていることを特徴とするヘッドマウントディスプレイにより解決される。
【発明の効果】
【０００８】
本発明によれば、表示アームの伸縮と回動が発生する場合でも、配線が絡まないように処理可能なヘッドマウントディスプレイを提供することができる。
【発明を実施するための最良の形態】
【０００９】
以下、本発明の実施の形態の例を、図を用いて説明する。図１は、本発明の実施の形態の１例であるヘッドマウントディスプレイの概要を示す図である。このヘッドマウントディスプレイは、両耳を左右から押さえてヘッドマウントディスプレイを頭部に固定するイヤーパッド１を備えている。各イヤーパッド１の中にはスピーカーが設けられ、それぞれの耳に音声を出力する。
【００１０】
各イヤーパッド１は、自在ヒンジを介して、保持部２に固定されている。保持部２は、ヘッドバンド部３内に摺動自在に差し込まれ、ヘッドバンド部３により連結されている。ヘッドバンド部３は弾力性を有し、イヤーパッド１を左右から耳部に押し付ける付勢力を与える。
【００１１】
保持部２には、回動部４を介して第１表示部アーム５が、装着時の左右方向を回動軸として回動自在に設けられ、第１表示部アーム５には、第２表示部アーム６が摺動可能なように差し込まれている。第２表示部アーム６の先端部には表示部７が自在ヒンジを介して取り付けられている。
【００１２】
表示部７内の電気基板８からの配線９は、第２表示部アーム６の内部、第１表示部アーム５の内部を通して回動部４内のＡ室に導かれ、さらにＡ室と仕切り板を介して重なり合ったＢ室に導かれる。そしてＢ室を出た配線９は、保持部２内に収納された電気基板１１に接続される。保持部２内には他の電気基板１２も格納されている。
【００１３】
図２に、図１のＡ室、Ｂ室における配線９の様子を、図１の右側から見た図を示す。（ａ）、（ｂ）、（ｃ）はＡ室の様子を示すものであり、（ｄ）はＢ室の様子を示すものである。なお、図２において、図１に示された構成要素と同じ構成要素には同じ符号を付して、その説明を省略することがある。
【００１４】
第２表示部アーム６が第１表示部アーム５から引き出されているとき、Ａ室内の配線９は図２（ａ）で示すようになり、配線９がＡ室から引き出されたような状態となる。第２表示部アーム６が第１表示部アーム５内に収納されているときは、Ａ室内の配線は図２（ｂ）で示すようになり、配線の弛みがＡ室内の空間に収納される。図２（ｃ）に示すようにスプリングを使用した配線巻き取り機構を設け、配線９が螺旋状に巻き取られるようにしてもよい。以上のような機構により、第２表示部アーム６の進退に伴って、配線９が絡まることなくＡ室内に収納される。
【００１５】
第１表示部アーム５の保持部２に対する回動は、およそ±１２０°に亘って行われるが、この回動のときの配線の捻れと弛みは、図２（ｄ）に示すようにして、Ｂ室内で吸収される。このようにして、第２表示部アーム６の進退に伴う配線の弛みを吸収する空間と、第１表示部アーム５の回動に伴う配線の捻れと弛みを吸収する空間とを分けているので、配線が絡まることなく処理可能である。
【図面の簡単な説明】
【００１６】
【図１】本発明の実施の形態の１例であるヘッドマウントディスプレイの概要を示す図である。
【図２】図１のＡ室、Ｂ室における配線の様子を、図１の右側から見た図である。
【符号の説明】
【００１７】
１…イヤーパッド、２…保持部、３…ヘッドバンド部、４…回動部、５…第１表示部アーム、６…第２表示部アーム、７…表示部、８…電気基板、９…配線、１１…電気基板、１２…電気基板
【図１】
2008148028.tif 000003
【図２】
2008148028.tif 000004